(57)【要約】【課題】光触媒効率が高いバナジン酸ビスマスの製造方法の提供。【解決手段】水中で、ビスマス化合物と、ビスマス原子に対するバナジウム原子のモル比が２以上となる量のバナジウム化合物とを反応させる工程を含むバナジン酸ビスマスの製造方法。【選択図】なし【特許請求の範囲】
【請求項１】
水中で、ビスマス化合物と、ビスマス原子に対するバナジウム原子のモル比が２以上となる量のバナジウム化合物とを反応させる工程を含むバナジン酸ビスマスの製造方法。
【請求項２】
バナジン酸ビスマスの結晶構造が単斜晶である請求項１に記載の製造方法。
【請求項３】
ビスマス化合物が硝酸ビスマスである請求項１または２に記載の製造方法。
【請求項４】
バナジウム化合物がメタバナジン酸アンモニウムである請求項１〜３のいずれかに記載の製造方法。
【請求項５】
反応を６０〜９５℃で行う請求項１〜４のいずれかに記載の製造方法。
【請求項６】
反応を尿素の存在下で行う請求項１〜５のいずれかに記載の製造方法。
【請求項７】
反応時間が２時間以上である請求項１〜６のいずれかに記載の製造方法。
【請求項８】
反応を硝酸の非存在下で行う請求項１〜７のいずれかに記載の製造方法。
【発明の詳細な説明】
【技術分野】
【０００１】
本発明は、可視光応答性バナジン酸ビスマスの製造方法に関する。
【背景技術】
【０００２】
現在、光触媒として広く活用されている酸化チタン（ＴｉＯ２）は、３．２ｅＶのバンドギャップを有し、波長が３８８ｎｍ以下の紫外光を利用するものである。しかし、紫外光は太陽光中に３〜５％程度しか含まれておらず、酸化チタンを使用した触媒反応では、太陽光の約９５％が利用できないことになる。
【０００３】
可視光応答性を示す光触媒として、バナジン酸ビスマス（ＢｉＶＯ４）が知られている（特許文献１）。正方晶構造のバナジン酸ビスマスは２．９ｅＶのバンドギャップを有し、単斜晶構造のバナジン酸ビスマスは２．４ｅＶのバンドギャップを有する（非特許文献１）。これは、前者が約４２８ｎｍ以下の波長の光を吸収するのに対し、後者が約５１７ｎｍ以下の波長の光を吸収することを意味する。単斜晶構造の方が正方晶構造よりも広い波長領域の光を吸収するため、光触媒効率が高くなる。酸化チタンと比較すると、約３．５倍もの太陽光エネルギーを吸収することができる。
【０００４】
バナジン酸ビスマスの作製方法として、固相反応法や液相反応法が知られている。しかし、固相反応法を用いて作製されたバナジン酸ビスマス粉末は、光触媒反応の効率が低い。その原因として、固相反応法で得られる粉末の粒径が不均一であることが考えられている。
【０００５】
一方、液相反応法の一種である沈殿法を用いて、バナジン酸ビスマスを製造する方法が知られている（特許文献１）。具体的には、硝酸水溶液中で、尿素の存在下、メタバナジン酸アンモニウム（ＮＨ４ＶＯ３）と硝酸ビスマス五水和物（Ｂｉ（ＮＯ３）３・５Ｈ２Ｏ）とをモル比１：１で混合し、９０℃で加熱撹拌することにより、バナジン酸ビスマス粉末を得ている。得られたバナジン酸ビスマスが可視光応答性の光触媒活性を有し、内分泌攪乱物質であるノニルフェノール、ビスフェノールＡ又はエストロゲンを可視光下で分解できることも開示されている。しかしながら、短時間で単斜晶の粉末を得ることが難しく、また、使用する硝酸は劇物であり、保管取扱がきわめて難しいという問題がある。
【先行技術文献】
【特許文献】
【０００６】
【特許文献１】特開２００４−２４９３６号公報
【非特許文献】
【０００７】
【非特許文献１】Ａ．Ｋｕｄｏ，Ｋ．Ｏｍｏｒｉ，Ｈ．Ｋａｔｏ，Ｊ．Ａｍ．Ｃｈｅｍ．Ｓｏｃ．，１２１，１１４５９（１９９９）．
【発明の概要】
【発明が解決しようとする課題】
【０００８】
本発明は、光触媒効率が高いバナジン酸ビスマスを簡便に作製することを目的とする。
【課題を解決するための手段】
【０００９】
本発明者らは、液相反応法によるバナジン酸ビスマスの製造方法について種々検討したところ、ビスマス原子１モルに対しバナジウム原子２モル以上となる量のバナジウム化合物をビスマス化合物と反応させることにより、硝酸水溶液を用いることなく、短時間で可視光応答性のバナジン酸ビスマスが得られることを見出し、本発明を完成した。
【００１０】
すなわち、本発明は、水中で、ビスマス化合物と、ビスマス原子に対するバナジウム原子のモル比が２以上となる量のバナジウム化合物とを反応させる工程を含むバナジン酸ビスマスの製造方法に関する。
【００１１】
バナジン酸ビスマスの結晶構造は単斜晶であることが好ましい。
【００１２】
ビスマス化合物が硝酸ビスマスであることが好ましい。
【００１３】
バナジウム化合物がメタバナジン酸アンモニウムであることが好ましい。
【００１４】
反応は６０〜９５℃で行うことが好ましい。
【００１５】
反応を尿素の存在下で行うことが好ましい。
【００１６】
反応時間は２時間以上であることが好ましい。
【００１７】
反応は硝酸の非存在下で行うことが好ましい。
【発明の効果】
【００１８】
本発明では、ビスマス化合物と、ビスマス原子に対するバナジウム原子のモル比が２以上となる量のバナジウム化合物とを反応させるため、硝酸水溶液を用いることなく、可視光応答性のバナジン酸ビスマスを短時間で作製することができる。
【図面の簡単な説明】
【００１９】
【図１】実施例１〜４及び比較例１で調製したバナジン酸ビスマス粉末のＸＲＤの積分強度である。
【図２】実施例１〜４及び比較例１で調製したバナジン酸ビスマス粉末の光触媒反応評価結果である。
【図３】図２から算出した透過率の回復率である。
【図４】比較例２で調製したバナジン酸ビスマス粉末のＸＲＤの積分強度である。
【図５】比較例２で調製したバナジン酸ビスマス粉末の光触媒反応評価結果である。
【図６】図５から算出した透過率の回復率である。
【発明を実施するための形態】
【００２０】
本発明のバナジン酸ビスマスの製造方法は、水中で、ビスマス化合物と、ビスマス原子に対するバナジウム原子のモル比が２以上となる量のバナジウム化合物とを反応させる工程を含む。
【００２１】
ビスマス原子に対するバナジウム原子のモル比（バナジウム原子のモル数／ビスマス原子のモル数）は、２以上であり、３以上がより好ましく、４以上がさらに好ましい。上限は特に限定されないが、１０以下が好ましく、５以下がより好ましい。２未満では、正方晶系結晶が生成しやすくなる傾向があり、２を超えると、少しずつ正方晶系の割合が減少し、単斜晶系に置き換わっていく傾向がある。
【００２２】
ビスマス化合物としては、水に可溶な化合物であればよく、硝酸ビスマスが好ましい。
【００２３】
バナジウム化合物としては、水に可溶な化合物であればよく、取り扱いやすく、安価で毒性も低い点から、メタバナジン酸アンモニウムが好ましい。
【００２４】
ビスマス化合物は、水１００重量部に対しビスマス原子換算で０．００１〜５モル使用することが好ましい。
【００２５】
バナジウム化合物とビスマス化合物の混合方法は特に限定されず、バナジウム化合物とビスマス化合物が入った反応容器に水を加えてもよく、水が入った反応容器にバナジウム化合物とビスマス化合物を加えてもよく、反応容器にバナジウム化合物の水溶液とビスマス化合物の水溶液とを加えてもよい。
【００２６】
本発明の製造方法では、反応系中に沈殿剤を存在させることが好ましい。沈殿剤としては特に限定されないが、尿素、ミョウバン、石灰乳等を挙げることができる。中でも、取扱いが容易で安価である点から、尿素が好ましい。
沈殿剤の量は、ビスマス化合物１モルに対し、０．００１〜１００モルが好ましい。
【００２７】
ビスマス化合物とバナジウム化合物は、両者を含む水溶液に、必要に応じて沈殿剤を混合し、必要に応じて加熱しながら撹拌する。その後、生成した沈殿物を回収し、洗浄、乾燥する。
【００２８】
反応温度は特に限定されないが、６０℃以上が好ましく、８０℃以上がより好ましく、９０℃以上がさらに好ましい。また、１００℃以下が好ましく、９８℃以下がより好ましく、９５℃以下がさらに好ましい。６０℃未満であると、尿素の加水分解が行われない傾向がある。また、１００℃を超えると、水が蒸発するおそれがある。
【００２９】
反応時間は特に限定されないが、２時間以上が好ましく、３時間以上がより好ましく、４時間以上がさらに好ましい。また、１２時間以下が好ましく、１０時間以下がより好ましい。２時間未満であると、正方晶系結晶が高い割合で生成する傾向がある。一方、１２時間を超えると、単斜晶系が支配的に存在する、あるいは単斜晶系のみとなり、正方晶系が消滅しやすい傾向がある。
【００３０】
本発明の製造方法では、硝酸を添加してもよい。硝酸の添加量は、水１００重量部に対して、３０重量部以下が好ましく、１０重量部以下がより好ましい。安全性かつ簡便性の観点から、硝酸を添加せずに、すなわち、硝酸の非存在下で、反応を行うことが最も好ましい。
【００３１】
生成するバナジン酸ビスマスは、単斜晶系結晶を含むことが好ましい。単斜晶系結晶と正方晶系結晶の混合物である場合は、重量比（単斜晶／正方晶）は、１００／１００以上であることが好ましく、１００／５０以上であることがより好ましく、１００／３３以上であることがさらに好ましい。
【００３２】
本発明の製造方法によれば、単斜晶系結晶の割合が高いバナジン酸ビスマスを製造することができるので、可視光領域を含む幅広い波長領域の光を利用する光触媒反応に適用することができる。よって、可視光下でも、有害物質の分解、汚染された物質の浄化、水の分解等を高効率で行うことができ、例えば、内分泌攪乱物質であるノニルフェノール、ビスフェノールＡ、天然エストロゲン等で汚染された物質の浄化に応用できる。
【００３３】
有害物質の分解方法や汚染された物質の浄化方法としては、公知の方法を用いることができ、例えば、バナジン酸ビスマスを有害物質の水溶液に分散させ、光を照射しながら一定時間撹拌する方法が挙げられる。バナジン酸ビスマスは、濾別により除去・回収することができる。
【実施例】
【００３４】
以下、本発明の実施例について説明するが、本発明は、以下の実施例に限定されない。
下記の実施例及び比較例で使用した材料及び調製したバナジン酸ビスマス粉末の評価方法を以下に示す。
【００３５】
＜Ｘ線回折（ＸＲＤ）測定＞
Ｘ線回折装置（ＲＩＮＴ２５００Ｖ、株式会社リガク製）を使用してバナジン酸ビスマス粉末の結晶性を評価した。
【００３６】
＜光触媒反応評価＞
バナジン酸ビスマス粉末（０．２ｇ）をメチレンブルー溶液（８００μｌ）に加え、撹拌しながら太陽光シミュレーター装置（ＸＥＳ−３０１Ｓ＋ＥＬ−１００、株式会社三永電機製作所製）を用いて光（波長１００〜１４００ｎｍ）を１時間照射した。メチレンブルー溶液の上澄み３００μｌをガラス基板上に滴下し、分光器（大塚電子株式会社製）を用いて、波長２００〜８００ｎｍの光の透過率を測定した。水及びメチレンブルー溶液の透過率も測定した。
また、波長６６４ｎｍの光の透過率の測定結果をもとに、下記の方法により透過率の回復率を算出した。
回復率｛％｝＝（溶液の透過率／水の透過率）×１００
【００３７】
実施例１
硝酸ビスマス五水和物（５．８ｇ、１２ｍｍｏｌ）とメタバナジン酸アンモニウム（２．８ｇ、２４ｍｍｏｌ）をビーカー内で混合した上、超純水（１５０ｍｌ）と尿素（１０ｇ）を加え、９０℃、５００ｒｐｍで２時間加熱撹拌した。上澄みを捨てて、得られた沈殿物に超純水を加え５分間以上撹拌する作業を２回以上繰り返したのち、遠心分離機（３０００ｒｐｍ、１５分）を用いて沈殿物を回収した。１００℃で２時間乾燥し、粉末化した。
【００３８】
実施例２〜４
硝酸ビスマス五水和物（５．８ｇ、１２ｍｍｏｌ）に対し、メタバナジン酸アンモニウムをそれぞれ４．２ｇ（３６ｍｍｏｌ）、５．６ｇ（４８ｍｍｏｌ）、７．００ｇ（６０ｍｍｏｌ）用いた以外は、実施例１と同様にして沈殿物を得た。
【００３９】
比較例１
硝酸ビスマス五水和物（５．８ｇ、１２ｍｍｏｌ）に対し、メタバナジン酸アンモニウムを１．４ｇ（１２ｍｍｏｌ）用いた以外は、実施例１と同様にして沈殿物を得た。
【００４０】
実施例１〜４および比較例１で得られた各バナジン酸ビスマス粉末のＸＲＤの積分強度を図１に示す。比較例１（Ｖ原子とＢｉ原子のモル比が１）では、正方晶系結晶のピークが確認された。これに対し、実施例１、２及び４では、正方晶系結晶のピークがごくわずか確認される程度で、単斜晶系結晶が高い割合を占めることが確認された。Ｖ原子とＢｉ原子のモル比が４の実施例３では、正方晶系結晶のピークは見られず、単斜晶系結晶のピークのみが確認された。
【００４１】
実施例１〜４および比較例１で得られた各バナジン酸ビスマス粉末の光触媒反応評価結果を図２に、透過率の回復率を図３に、それぞれ示す。
Ｖ原子とＢｉ原子のモル比が２以上で透過率の回復が確認された。特に、実施例４では透過率が約９８％にまで回復した。これは、単斜晶系結晶の比率が高いと可視光領域での光触媒反応を効率的に行えることを示している。
【００４２】
比較例２
硝酸ビスマス五水和物（５．８ｇ、１２ｍｍｏｌ）とメタバナジン酸アンモニウム（１．４ｇ、１２ｍｍｏｌ）をビーカー内で混合した上、超純水（１５０ｍｌ）と尿素（１０ｇ）を加え、９０℃、５００ｒｐｍで、２時間、６時間又は１２時間加熱撹拌した。上澄みを捨てて、得られた沈殿物に超純水を加え５分間以上撹拌する作業を２回以上繰り返したのち、遠心分離機（３０００ｒｐｍ、１５分）を用いて沈殿物を回収した。１００℃で２時間乾燥し、粉末化した。
【００４３】
バナジン酸ビスマス粉末のＸＲＤの積分強度を図４に示す。反応時間が２時間では、正方晶系結晶のピークのみが確認された。６時間では正方晶系結晶と単斜晶系結晶の混合物が得られ、１２時間では正方晶系結晶の割合はかなり低くなった。
【００４４】
各バナジン酸ビスマス粉末の光触媒反応評価結果を図５に、この結果をもとに算出した透過率の回復率を図６に、それぞれ示す。
Ｖ原子とＢｉ原子のモル比が１である場合、１２時間反応させても透過率が９０％近くまでしか回復しないことが確認された。
【産業上の利用可能性】
【００４５】
本発明によれば、可視光応答性のバナジン酸ビスマスが簡便に得られるため、可視光下での有機物質の分解手段、例えば、内分泌攪乱物質等の環境汚染物質を分解・浄化する手段等に応用することができる。
【図１】
2020111476.tif 000002
【図２】
2020111476.tif 000003
【図３】
2020111476.tif 000004
【図４】
2020111476.tif 000005
【図５】
2020111476.tif 000006
【図６】
2020111476.tif 000007